【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
画像形成装置で用いられるクリーニングユニットにおいて、
回転可能な像担持体から現像剤を除去するクリーニングブレードであって、前記像担持体に接触する先端部を有する弾性体と、前記弾性体を支持する支持体と、を備えたクリーニングブレードと、
前記クリーニングブレードによって除去された現像剤を収容する現像剤収容部を備えた枠体と、
前記枠体と前記クリーニングブレードとの間をシールして前記現像剤収容部から現像剤が漏れるのを防ぐ第一封止部材であって、前記像担持体の軸線方向の端部付近において、前記枠体に設けられた第一封止部材と、
前記枠体と前記像担持体との間をシールして前記現像剤収容部から現像剤が漏れるのを防ぐ第二封止部材であって、前記軸線方向の端部付近において、前記弾性体に対向する位置と、前記軸線方向において前記クリーニングブレードの端面よりも外側と、に設けられた第二封止部材と、
を有し、
前記第一封止部材は、前記軸線方向において前記端面よりも内側に設けられた、前記軸線方向と交差する方向に延びる基部と、前記基部から前記軸線方向に延びる延び部であって、前記第二封止部材によって圧縮されて前記第二封止部材と前記枠体の間をシールする延び部を有することを特徴とするクリーニングユニット。
【請求項２】
前記延び部は、前記像担持体の回転方向において前記弾性体よりも下流側で前記基部から前記軸線方向に延びた請求項１に記載のクリーニングユニット。
【請求項３】
前記クリーニングユニットは、前記基部、前記延び部、前記枠体及び前記第二封止部材で囲まれる、前記現像剤収容部から漏れた現像剤を収容可能な空間を有する請求項２に記載のクリーニングユニット。
【請求項４】
前記延び部は、前記先端部側の前記軸線方向と直交する断面の断面積が、その他の部分の前記断面積よりも小さい請求項１乃至３のいずれか１項に記載のクリーニングユニット。
【請求項５】
前記先端部は、前記軸線方向に向かって傾斜した傾斜面を有する請求項４に記載のクリーニングユニット。
【請求項６】
前記延び部は、前記交差する方向において前記弾性体と当接する位置で前記基部から前記軸線方向に延びた請求項１乃至５のいずれか１項に記載のクリーニングユニット。
【請求項７】
前記基部は、前記枠体と前記クリーニングブレードとの間で圧縮された請求項１乃至６のいずれか１項に記載のクリーニングユニット。
【請求項８】
前記クリーニングユニットは、前記像担持体を有する請求項１乃至７のいずれか１項に記載のクリーニングユニット。
【請求項９】
前記クリーニングブレードは、前記枠体に回転可能に設けられている請求項１乃至８のいずれか１項に記載のクリーニングユニット。
【請求項１０】
前記交差する方向において、前記基部で前記弾性体と前記第二封止部材との間がシールされている請求項１乃至９のいずれか１項に記載のクリーニングユニット。
【請求項１１】
前記軸線方向において、前記延び部で前記クリーニングブレードと前記突出部との間がシールされている請求項１乃至１０のいずれか１項に記載のクリーニングユニット。
【請求項１２】
更に前記クリーニングユニットは、前記交差する方向において前記弾性体と当接する位置で前記基部から前記軸線方向に延びた第二延び部を有する請求項１乃至１１のいずれか１項に記載のクリーニングユニット。
【請求項１３】
前記クリーニングユニットは、前記基部、前記延び部、前記第二延び部、前記枠体及び前記第二封止部材で囲まれる、前記現像剤収容部から漏れた現像剤を収容可能な空間を有する請求項１２に記載のクリーニングユニット。
【請求項１４】
画像形成装置の装置本体に着脱可能なプロセスカートリッジにおいて
請求項１乃至１３のいずれか１項に記載のクリーニングユニットを有するプロセスカートリッジ。
【請求項１５】
記録媒体に画像を形成する画像形成装置において
請求項１乃至１３のいずれか１項に記載のクリーニングユニットを有する画像形成装置。
【手続補正２】
【補正対象書類名】明細書
【補正対象項目名】０００６
【補正方法】変更
【補正の内容】
【０００６】
また、上記目的を達成するため、本発明に係るクリーニングユニットは、
画像形成装置で用いられるクリーニングユニットにおいて、
回転可能な像担持体から現像剤を除去するクリーニングブレードであって、前記像担持体に接触する先端部を有する弾性体と、前記弾性体を支持する支持体と、を備えたクリーニングブレードと、
前記クリーニングブレードによって除去された現像剤を収容する現像剤収容部を備えた枠体と、
前記枠体と前記クリーニングブレードとの間をシールして前記現像剤収容部から現像剤が漏れるのを防ぐ第一封止部材であって、前記像担持体の軸線方向の端部付近において、前記枠体に設けられた第一封止部材と、
前記枠体と前記像担持体との間をシールして前記現像剤収容部から現像剤が漏れるのを防ぐ第二封止部材であって、前記軸線方向の端部付近において、前記弾性体に対向する位置と、前記軸線方向において前記クリーニングブレードの端面よりも外側と、に設けられた第二封止部材と、
を有し、
前記第一封止部材は、前記軸線方向において前記端面よりも内側に設けられた、前記軸線方向と交差する方向に延びる基部と、前記基部から前記軸線方向に延びる延び部であって、前記第二封止部材によって圧縮されて前記第二封止部材と前記枠体の間をシールする延び部を有することを特徴とする。
また、上記目的を達成するため、本発明に係るプロセスカートリッジは、
画像形成装置の装置本体に着脱可能なプロセスカートリッジにおいて、
回転可能な像担持体から現像剤を除去するクリーニングブレードであって、前記像担持体に接触する先端部を有する弾性体と、前記弾性体を支持する支持体と、を備えたクリーニングブレードと、
前記クリーニングブレードによって除去された現像剤を収容する現像剤収容部を備えた枠体と、
前記枠体と前記クリーニングブレードとの間をシールして前記現像剤収容部から現像剤が漏れるのを防ぐ第一封止部材であって、前記像担持体の軸線方向の端部付近において、前記枠体に設けられた第一封止部材と、
前記枠体と前記像担持体との間をシールして前記現像剤収容部から現像剤が漏れるのを防ぐ第二封止部材であって、前記軸線方向の端部付近において、前記弾性体に対向する位置と、前記軸線方向において前記クリーニングブレードの端面よりも外側と、に設けられた第二封止部材と、
を有し、
前記第一封止部材は、前記軸線方向において前記端面よりも内側に設けられた、前記軸線方向と交差する方向に延びる基部と、前記基部から前記軸線方向に延びる延び部であって、前記第二封止部材によって圧縮されて前記第二封止部材と前記枠体の間をシールする延び部を有することを特徴とする。
更に、上記目的を達成するため、本発明に係る画像形成装置は、
記録媒体に画像を形成する画像形成装置において、
回転可能な像担持体から現像剤を除去するクリーニングブレードであって、前記像担持体に接触する先端部を有する弾性体と、前記弾性体を支持する支持体と、を備えたクリーニングブレードと、
前記クリーニングブレードによって除去された現像剤を収容する現像剤収容部を備えた枠体と、
前記枠体と前記クリーニングブレードとの間をシールして前記現像剤収容部から現像剤が漏れるのを防ぐ第一封止部材であって、前記像担持体の軸線方向の端部付近において、前記枠体に設けられた第一封止部材と、
前記枠体と前記像担持体との間をシールして前記現像剤収容部から現像剤が漏れるのを防ぐ第二封止部材であって、前記軸線方向の端部付近において、前記弾性体に対向する位置と、前記軸線方向において前記クリーニングブレードの端面よりも外側と、に設けられた第二封止部材と、
を有し、
前記第一封止部材は、前記軸線方向において前記端面よりも内側に設けられた、前記軸線方向と交差する方向に延びる基部と、前記基部から前記軸線方向に延びる延び部であって、前記第二封止部材によって圧縮されて前記第二封止部材と前記枠体の間をシールする延び部を有することを特徴とする。